(57)【特許請求の範囲】
【請求項１】
キャップ又は軸筒の尾端側に駒体を備える筆記具に於いて、
駒体を二色成形又はインサート成形の要領でキャップ又は軸筒の尾端側に同時成形してなり、キャップ又は軸筒の尾端側と駒体との間に軸方向において互いに嵌合掛止し合う嵌合掛止構造を設けてなり、
嵌合掛止構造が、キャップ又は軸筒の尾端側における少なくとも相対峙する外周両面に、尾端から軸方向に他の部分の表面より一段程低くした取付部を設けると共に、該取付部の表面には少なくとも他の部分の表面高さに相当する突出高さで且つ適宜の突出形状を呈する掛止凸部を１乃至数カ所に設ける一方、前記外周両面線上に位置する駒体の円周縁から、前記取付部に密着適合する突出形状の腕片部を設けると共に、該腕片部には前記掛止凸部に密着適合する掛止窓を１乃至数カ所に設けてなる事を特徴とする筆記具。
【請求項２】
キャップ又は軸筒の尾端側に駒体を備える筆記具に於いて、
駒体を二色成形又はインサート成形の要領でキャップ又は軸筒の尾端側に同時成形してなり、キャップ又は軸筒の尾端側と駒体との間に軸方向において互いに嵌合掛止し合う嵌合掛止構造を設けてなり、
嵌合掛止構造が、キャップ又は軸筒の尾端側における少なくとも相対峙する外周両面に、その尾端縁から軸方向に溝状の取付部を設けると共に、該取付部の終端には内部に向けて開口させた掛止窓又はその溝幅より幅広状の掛止凹部を設ける一方、前記外周両面線上に位置する駒体の円周縁から、前記取付部に密着適合する突出形状を呈する腕片部を設けると共に、該腕片部の突端には前記掛止窓又は掛止凹部に密着適合する掛止部を設けてなる事を特徴とする筆記具。
【請求項３】
キャップ又は軸筒の尾端側に駒体を備える筆記具に於いて、
駒体を二色成形又はインサート成形の要領でキャップ又は軸筒の尾端側に同時成形してなり、キャップ又は軸筒の尾端側と駒体との間に軸方向において互いに嵌合掛止し合う嵌合掛止構造を設けてなり、
嵌合掛止構造が、キャップ又は軸筒の尾端側における少なくとも相対峙する外周両面に、その尾端縁から軸方向に適宜の開口幅の開口部を設けると共に、該開口部の開口終端にはその開口幅より幅広状の掛止窓を設ける一方、前記外周両面線上に位置する駒体の円周縁から、前記開口部に密着適合する突出形状の腕片部を設けると共に、該腕片部の突端には前記掛止窓に密着適合する掛止部を設けてなる事を特徴とする筆記具。
【請求項４】
請求項１乃至３いずれかに記載の筆記具において、
駒体又はキャップにはクリップが同時成形されている事を特徴とする筆記具。
【請求項５】
請求項１乃至４いずれかに記載の筆記具において、
駒体並びにその腕片部を、ゴム又はエラストマーにて同時成形されている事を特徴とする筆記具。
【発明の詳細な説明】
【０００１】
【発明が属する技術分野】
本発明は、ボールペン、マーカーペン、塗布具等の筆記具に係り、特に商品としての装飾性や機能性を図る目的でキャップ又は軸筒を成形する合成樹脂材料と同色又は異色の合成樹脂材料からなる駒体を、又はゴムやエラストマー等の異質材料からなる駒体を、キャップ又は軸筒の尾端に固着備える取付構造に関する。
【０００２】
【従来の技術】
近年、インク切れを起こす事なく、滑らかな筆記を可能とする書き味が優れている等の機能性に加えて、外観的見栄えを高める装飾性等の美的効果を図る傾向が急速に浸透しつつある。その美的効果を図る手段として、キャップ又は軸筒を透明にしたり、或いは透明なキャップや軸筒に成形色を変えた異色（色付き）の合成樹脂材料からなる駒体を具備してなる筆記具が数多く提案されてきている。
因みに、駒体の色は一般的にインキ色と同色にして、多数本ある筆記具の中から使用するインキ色の筆記具を選択する場合に駒体の色にて見分けられるようにしてなる。
【０００３】
【発明が解決しようとする課題】
ところで、従来ではキャップ又は軸筒の尾端側に対する駒体の取り付けは、キャップ又は軸筒とは別成形にて成形された後に、尾端に組み立てにより固着される方法が主流であった（例えば、実開昭63−80177 号公報参照）。従って、従来においては別成形されたキャップ又は軸筒の尾端に対する駒体の組付け作業が必要となることから、手間が掛かり生産能率が悪いばかりか、その分、コスト高になる等の不具合があった。
【０００４】
又、従来では駒体を組み付けにより後からキャップ又は軸筒の尾端側に嵌め込み固着することから、キャップ又は軸筒の尾端側に同時成形により形成される傘状の係止段を有する取付部に対する駒体（斯る公報記載においては蓋栓と称している）の取付状態において、僅かではあるが材料間に隙間ができる等の整合性（適合性）が無くなり、そのために、駒体の取付状態の安定性が悪く、使用者に対する違和感を与えるばかりか、床面等に落下した際の衝撃等により駒体が脱落する等の虞れがあった。即ち、キャップ又は軸筒、そして駒体を作る例えば合成樹脂材料等は金型内に射出充填された後に固化されるその固化過程において僅かではあるが、肉が厚い肉厚部分と肉が薄い肉薄部分においては固化速度差が発生し、その速度差による寸法上のバラ付きが起き得るものである。その結果、どうしても別成形されたキャップ又は軸筒と駒体との材料間には前述したように取付状態において寸法誤差による隙間が僅かではあるができやすくなるものである。
【０００５】
本発明はこの様な従来事情に鑑みてなされたもので、その目的とする処は、キャップ又は軸筒の尾端側に対する駒体の取付構造において、材料間の整合性による密着が図られ、しかも、互いに嵌合掛止し合う嵌合掛止構造にて駒体をキャップ又は軸筒の尾端側に強靭な取付構造にて固着具備し得るように改良を加えた筆記具を低コストにて提供することにある。
【０００６】
【課題を達成するための手段】
課題を達成するために本発明は、キャップ又は軸筒の尾端側に駒体を備える筆記具に於いて、駒体を二色成形又はインサート成形の要領でキャップ又は軸筒の尾端側に同時成形してなり、キャップ又は軸筒の尾端側と駒体とには互いに嵌合掛止し合う嵌合掛止構造を設けてなる事を要旨とするものであり、且つ前記駒体又はキャップにはクリップが同時成形され、更に駒体にはキャップ内に同軸上に内設される内キャップが同時成形され、前述した嵌合掛止構造が、キャップ又は軸筒の尾端側における少なくとも相対峙する外周両面に、尾端縁から軸方向に他の部分の表面より略平坦状に又は溝状に一段程低くした取付部を設けると共に、該取付部の表面には少なくとも他の部分の表面高さに相当する突出高さで且つ適宜の突出形状を呈する掛止凸部を１乃至数カ所に設ける一方で、前記外周両面線上に位置する駒体の円周縁から、前記取付部に密着適合する突出形状の腕片部を設けると共に、該腕片部には前記掛止凸部に密着適合する掛止窓を１乃至数カ所に設けてなる事を要旨とする。
【０００７】
斯る技術的手段によれば、駒体は二色成形又はインサート成形の要領でキャップ又は軸筒の尾端側に同時成形される。それにより、駒体はキャップ又は軸筒の尾端側に対して材料間の整合性による密着が図られた一体化構造にて、尚且つ互いに嵌合掛止せしめた嵌合掛止構造にて固着具備される。
その上、前述したように、二色成形又はインサート成形の要領で駒体がキャップ又は軸筒の尾端側に同時成形される際に、該尾端側に同時成形される取付部に対して同じく同時成形される駒体の腕片部が密着適合され、且つ取付部の１乃至数カ所の掛止凸部に対して腕片部の１乃至数カ所の掛止窓が密着適合される。それにより、駒体は材料間の整合性による密着が図られた一体化構造に加えてキャップ又は軸筒の尾端側の掛止凸部に対する掛止窓の嵌合掛止構造によりキャップ又は軸筒の尾端側に固着具備される。
そして、取付部の掛止凸部の突出形状を例えば文字やマーク等の表示形状にて数カ所に形成する一方、腕片部の掛止窓の開口形状も同じく文字やマーク等の表示形状にて前記掛止凸部の突出位置に対応させた数カ所に形成することで、各掛止凸部と各掛止窓とが互いに嵌合掛止し合い、その掛止状態が文字やマーク等の表示部として駒体の腕片部の表面に現出される。
【０００８】
又、前述した嵌合掛止構造が、キャップ又は軸筒の尾端側における少なくとも相対峙する外周両面に、その尾端縁から軸方向に溝状の取付部を設けると共に、該取付部の終端には内部に向けて開口させた掛止窓又はその溝幅より幅広状の掛止凹部を設ける一方で、前記外周両面線上に位置する駒体の円周縁から、前記取付部に密着適合する突出形状を呈する腕片部を設けると共に、該腕片部の突端には前記掛止窓又は掛止凹部に密着適合する掛止部を設けてなる事を要旨とする。斯る技術的手段によれば、前述したように、二色成形又はインサート成形の要領で駒体がキャップ又は軸筒の尾端側に同時成形される際に、該尾端側に同時成形される取付部に対して同じく同時成形される駒体の腕片部が密着適合され、且つ取付部の終端の掛止窓又は掛止凹部に対して腕片部の突端の掛止部が密着適合される。それにより、駒体は材料間の整合性による密着が図られた一体化構造に加えてキャップ又は軸筒の尾端側の掛止窓又は掛止凹部に対する掛止部の嵌合掛止構造によりキャップ又は軸筒の尾端側に固着具備される。
【０００９】
又、前述した嵌合掛止構造が、キャップ又は軸筒の尾端側における少なくとも相対峙する外周両面に、その尾端縁から軸方向に適宜の開口幅の開口部を設けると共に、該開口部の開口終端にはその開口幅より幅広状の掛止窓を設ける一方で、前記外周両面線上に位置する駒体の円周縁から、前記開口部に密着適合する突出形状の腕片部を設けると共に、該腕片部の突端には前記掛止窓に密着適合する掛止部を設けてなる事を要旨とする。
斯る技術的手段によれば、前述したように、二色成形又はインサート成形の要領で駒体がキャップ又は軸筒の尾端側に同時成形される際に、該尾端側に同時成形される開口部に対して同じく同時成形される駒体の腕片部が密着適合され、且つ開口部の開口終端の掛止窓に対して掛止片部の突端の掛止部が密着適合される。それにより、駒体は材料間の整合性による密着が図られた一体化構造に加えてキャップ又は軸筒の尾端側の掛止窓又は掛止凹部に対する掛止部の嵌合掛止構造によりキャップ又は軸筒の尾端側に固着具備される。
【００１０】
【発明の実施の形態】
本発明の実施の具体例を図面に基づいて説明する。
図１乃至図５は本発明筆記具のキャップ１の一例を示し、キャップ１と、このキャップ１の尾端側に具備する駒体２とを二色成形又はインサート成形の要領で同時成形する。そして、この同時成形時にキャップ１の尾端側における少なくとも相対峙する外周両面と、この外周両面線上に位置する駒体２の円周縁とには互いに嵌合掛止し合う嵌合掛止構造を設けて、同時成形により得られる材料間の整合性による密着が図られた一体化構造と、互いに嵌合掛止し合う嵌合掛止構造とによりキャップ１の尾端側に対して駒体２が二色成形又はインサート成形の要領で同時成形されて固着具備されるようにしてなる。
【００１１】
キャップ１は、透明又は種々の着色が施された所要の合成樹脂材料、例えば透明な合成樹脂材料にて前後端を開口させた円筒筒状に成形され、その尾端側における相対峙する外周両面に、嵌合掛止構造の後述する取付部３が成形される。
【００１２】
取付部３は、嵌合掛止構造の後述する腕片部４との整合性による密着が図られることで、キャップ１の尾端側に対する駒体２の固着強度を図る役目を成すもので、キャップ１の尾端開口縁から前端開口方向に向けた軸方向に他の部分の表面（キャップ１の外周表面）より適宜の幅にて一段程低くした略平坦状に成形され、その表面に掛止凸部５を突出備える。
【００１３】
掛止凸部５は、嵌合掛止構造の後述する掛止窓６との嵌合掛止によりキャップ１の尾端側に対する駒体２の固着強度を図る役目を成すもので、前述した取付部３の表面における中央部位に、他の部分の表面高さに相当する突出高さにて略円柱形状に成形される。
【００１４】
駒体２は、キャップ１を成形する合成樹脂材料と異質の硬質ゴムやエラストマー等の異質材料、或いは異色の合成樹脂材料、例えばインク色の合成樹脂材料にて、キャップ１の尾端開口部を閉蓋する尾栓の如く該尾端側に二色成形又はインサート成形の要領で同時成形されて固着具備されるものである。そして、キャップ１の尾端側における前述した両取付部３に対応位置するその円周縁から該取付部３に密着適合する突出形状にて腕片部４が成形されると共に、該腕片部４には前述した掛止凸部５の円周面に密着適合する円形の掛止窓６が成形される。図中７は、腕片部４から円周方向略90゜に位置する駒体２の円周縁からキャップ１の軸方向に向けて同時成形されるクリップであり、図中８は、駒体２の内側軸芯からキャップ１内に向けて同軸状に同時成形される内キャップである。
【００１５】
腕片部４は、その内面側をキャップ１の取付部３に適合させた略平坦状で、その表面側をキャップ１の円弧表面と面一状に適合させた円弧状の断面形状にて駒体２の両円周縁から突出成形され、その表裏面に貫通する掛止窓６を開口備える。
【００１６】
掛止窓６は、キャップ１の取付部３の掛止凸部５に対応する前述した腕片部４の中央部位に開口成形され、該取付部３の掛止凸部５に対して密着適合されるようになっている。
【００１７】
而して、以上の如く構成したキャップ１によれば、駒体２は二色成形又はインサート成形の要領でキャップ１の尾端側に同時成形されることで、キャップ１の尾端側に対して材料間の整合性による密着が図られた一体化構造にて固着されると同時に、キャップ１の尾端側に同時成形される取付部３に対して同じく同時成形される駒体２の腕片部４が密着適合され、且つ取付部３の掛止凸部５に対して腕片部４の掛止窓６が密着適合されることで、駒体２は前述した一体化構造に加えてキャップ１の尾端側の掛止凸部５に対する掛止窓６の嵌合掛止構造によりキャップ１の尾端側に確実且つ強靭な取付構造にて固着具備されるものである。それにより、駒体２の取付状態にガタが生じて使用者に違和感を与えることもなく、床面等に落下した際の衝撃等により簡単に脱落する虞れもない。
【００１８】
尚、図６に例示したように、軸筒９の尾端側に前述した取付構造にて駒体２を二色成形又はインサート成形の要領で同時成形せしめて固着するも可能であり、駒体２の軸筒９の尾端側への取付構造においては前述した実施例詳述と基本的に同じ事から同じ構成部分に同じ符号を用いる事でその説明は省略する。そして、この軸筒９の場合においては駒体２を硬質ゴムやエラストマーを用いて二色成形又はインサート成形の要領でその尾端側に同時成形して固着具備することで、軸筒９を床面等に落下させた際の衝撃が硬質ゴムやエラストマーからなる駒体２により緩衝されることになる。つまり、内部に収容されているインクが衝撃によるバックショックにより逆流する等の不具合を防止し得る効果等が期待できるものである。
図中10は、駒体２に同時成形された受け部であり、インク収容管11（通称、替芯等と称されている）を軸筒９内に装填する事でその後端開口部が受け部10に当接され、インクの減少（消耗）に伴うインク収容管11内の空気交換が成されるようになっている。
【００１９】
図７乃至図８は本発明筆記具のキャップの他例を示し、クリップ７並びに内キャップ８をキャップ１と同時成形すると共に、取付部３に対する掛止凸部５の突出個数とその突出形状、そして腕片部４に対する掛止窓６の開口個数とその開口形状を変えてなる。斯る実施例においてはクリップ７並びに内キャップ８を一体に有するキャップ１に対して前述した実施例詳述の取付部３を一回り程大きめに形成すると共にその表面に、軸方向に並列的に例えば文字やマーク等の表示形状にて突出させた掛止凸部5-1 …を数カ所に設ける一方で、駒体２の腕片部４も同じく取付部３に密着適合し得るように一回りほど大きめに形成すると共に、文字やマーク等の表示形状を呈する各掛止凸部5-1 …に密着適合する開口形状にて掛止窓6-1 …を同一間隔にて並列的に設けて、取付部３の各掛止凸部5-1 …に対して腕片部４の各掛止窓6-1 …が密着適合されることで（図８参照）、駒体２がキャップ１の尾端側に確実且つ強靭な取付構造にて固着具備されるようにしてなる。そして、各掛止凸部5-1 …と各掛止窓6-1 …との掛止状態が文字やマーク等の表示部12として駒体２の腕片部４の表面に現出されるようにしてなる（図７参照）。
【００２０】
尚、斯る実施例における駒体２並びにその腕片部４をエラストマーを用いて同時成形せしめる。斯様のようにエラストマーを用いる事で、該エラストマーが有する滑り止め効果により、キャップ１の脱着が容易になる。つまり、キャップ１の装着並びに取り外し時に、駒体２の腕片部４に指を掛けた（添えた）状態にてキャップ１を握る事で、エラストマーからなる腕片部４が滑り止め効果を発揮し、キャップ１の脱着が容易になる。
又、斯る実施例におけるキャップ１においてはその後端側に成形される取付部３の表面形状をキャップ１の外周表面に対応させた円弧形状に形成する。つまり、取付部３をキャップ１の尾端開口縁からその前端開口方向に向けて断面円弧形状に一段程低くした溝状に成形せしめて、この円弧形状の表面に文字やマーク等の表示形状を成す各掛止凸部5-1 …が、キャップ１の外周表面の表面高さに相当する突出高さにて軸方向に並列的に成形されるようにすると良い。この場合、駒体２の腕片部４の断面形状も取付部３に密着適合する断面円弧形状にて突出成形せしめて、取付部３の各掛止凸部5-1 …に密着適合する開口形状の各掛止窓6-1 …が開口成形されるようにするものである。
【００２１】
図９乃至図13は本発明筆記具のキャップ1-1 の更なる他例を示し、斯る実施例においてはキャップ1-1 の尾端側における相対峙する外周両面に、その尾端開口縁から軸方向に溝状の取付部13を設けると共に、該取付部13の溝終端には内部に向けて開口させた掛止窓14を設ける一方で、駒体2-1 の円周縁から、前記取付部13に密着適合する突出形状を呈する腕片部15を設けると共に、該腕片部15の突端には前記掛止窓14に密着適合する掛止部16を設けて、キャップ１の尾端側に駒体2-1 が二色成形又はインサート成形の要領で同時成形されて固着具備されるようにしてなるものである。尚、キャップ1-1 並びに駒体2-1 、そしてクリップ7-1 、内キャップ8-1 の構成形態においては前述した実施例詳述と基本的に同じことからその詳細については説明を省略する。
【００２２】
取付部13は、キャップ1-1 の尾端開口縁から前端開口方向に向けた軸方向に他の部分の表面（キャップ1-1 の外周表面）より適宜の溝幅にて一段程低くした溝状に成形せしめて、駒体2-1 の両円周縁から突出成形される腕片部15が密着適合されるように形成すると共に、その溝終端に掛止窓14を開口備える。
【００２３】
掛止窓14は、取付部13の溝終端に該取付部13の溝幅にて開口成形され、駒体  2-1 の腕片部15の突端に該腕片部15の突出幅と同一幅にて成形される掛止部16が密着適合されることで、キャップ1-1 の尾端開口部を閉蓋する尾栓の如く該尾端側に駒体2-1 が固着具備されるようになっている（図９乃至図10参照）。
【００２４】
而して、以上の如く構成したキャップ1-1 によれば、前述した実施例詳述のように、駒体2-1 は二色成形又はインサート成形の要領でキャップ1-1 の尾端側に同時成形されることで、キャップ1-1 の尾端側に対して材料間の整合性による密着が図られた一体化構造にて固着される。そして、キャップ1-1 の尾端側に同時成形される取付部13に対して同じく同時成形される駒体2-1 の腕片部15が密着適合され、且つ取付部13の掛止窓14に対して腕片部15の掛止部16が密着適合されることで、駒体2-1 は前述した一体化構造に加えてキャップ1-1 の尾端側の掛止窓14に対する掛止部16の嵌合掛止構造によりキャップ1-1 の尾端側に確実且つ強靭な取付構造にて固着具備されるものである。
【００２５】
図14乃至図18は、前述したキャップ1-1 と駒体2-1 との取付構造において、キャップ1-1 の後端側の取付部13の溝終端に該取付部13の溝幅より幅広状の掛止凹部17を成形する一方、駒体2-1 の腕片部15の突端には該腕片部15の突出幅より幅広状の掛止部18を成形して、この掛止部18が前記掛止凹部17に対して密着適合するその嵌合掛止構造によりキャップ1-1 の尾端側に駒体2-1 が確実且つ強靭な取付構造にて固着具備されるようにしてなる他の実施例である。
【００２６】
尚、前述した掛止窓14の開口幅を掛止凹部17と同じように取付部13の溝幅よりも幅広状に形成する一方で、掛止部18も同様に腕片部15の突出幅よりも幅広状に形成して、互いに嵌合掛止し合うようにした取付構造とするも良い。
【００２７】
図19乃至図23は本発明筆記具のキャップ1-2 の更なる他例を示し、斯る実施例においてはキャップ1-2 の尾端側における相対峙する外周両面に、その尾端開口縁から軸方向に適宜の開口幅にて開口する開口部19を設けると共に、該開口部19の開口終端にはその開口幅より幅広状に開口させた掛止窓20を設ける一方で、駒体2-2 の円周縁から、前記開口部19に密着適合する突出形状を呈する腕片部21を設けると共に、該腕片部21の突端には前記掛止窓20に密着適合する掛止部22を設けて、キャップ1-2 の尾端側に駒体2-2 が二色成形又はインサート成形の要領で同時成形されて固着具備されるようにしてなるものである。尚、キャップ1-2 並びに駒体2-2 、そしてクリップ7-2 、内キャップ8-2 の構成形態においては前述した実施例詳述と基本的に同じことからその詳細については説明を省略する。
【００２８】
開口部19は、キャップ1-2 の尾端開口縁から前端開口方向に向けた軸方向に適宜の開口幅にて開口成形せしめて、駒体2-2 の両円周縁から内キャップ8-2 と連設せしめた状態で突出成形される腕片部21が密着適合されるように形成する（図22参照）と共に、その開口終端に掛止窓20を開口備える。
【００２９】
掛止窓20は、開口部19の開口終端に該開口部19の開口幅より幅広状に開口成形され、駒体2-2 の腕片部21の突端に内キャップ8-2 と連設せしめた状態で（図23参照）同じく幅広状に成形される掛止部22が密着適合されることで、キャップ  1-2 の尾端開口部を閉蓋する尾栓の如く該尾端側に駒体2-2 を固着具備するようになっている。
【００３０】
而して、以上の如く構成したキャップ1-2 によれば、前述した実施例詳述のように、駒体2-2 は二色成形又はインサート成形の要領でキャップ1-2 の尾端側に同時成形されることで、キャップ1-2 の尾端側に対して材料間の整合性による密着が図られた一体化構造にて固着される。そして、キャップ1-2 の尾端側に同時成形される開口部19に対して同じく同時成形される駒体2-2 の腕片部21が密着適合され、且つ開口部19の掛止窓20に対して腕片部21の掛止部22が密着適合されることで、駒体2-2 は前述した一体化構造に加えてキャップ1-2 の尾端側の掛止窓20に対する掛止部22の嵌合掛止構造によりキャップ1-2 の尾端側に確実且つ強靭な取付構造にて固着具備されるものである。そして、内キャップ8-2 は駒体2-2 の相対峙する両円周縁から突出成形される腕片部21とその突端の掛止部22に対して連設支持されていることから、仮にキャップ1-2 の装着時においてペン先が衝突する等の負荷応力を繰り返し受けたとしても芯ズレ等を起こす事なくキャップ1-2 内に同軸状に内設されるものである。
【００３１】
【発明の効果】
本発明の筆記具のキャップ又は軸筒は叙上の如く構成してなるから、下記の作用効果を奏する。
（１）駒体を二色成形又はインサート成形の要領でキャップ又は軸筒の尾端側に同時成形してなることから、駒体はキャップ又は軸筒の尾端側に対して材料間の整合性による密着が図られた一体化構造にて固着されると同時にその成形時に互いに嵌合掛止し合う嵌合掛止構造によりしっかりと固着される。それにより、駒体はキャップの尾端側に嵌合掛止構造により強靭な取付構造にて固着具備される。
しかも、二色成形又はインサート成形の要領で駒体がキャップ又は軸筒の尾端側に同時成形される際に、該尾端側に同時成形される取付部に対して同じく同時成形される駒体の腕片部が密着適合され、且つ取付部の１乃至数カ所の掛止凸部に対して腕片部の１乃至数カ所の掛止窓が密着適合される。それにより、駒体は材料間の整合性による密着が図られた一体化構造に加えてキャップ又は軸筒の尾端側の掛止凸部に対する掛止窓の嵌合掛止構造によりキャップ又は軸筒の尾端側にしっかりと固着具備される。
又、前記取付部の掛止凸部の突出形状を例えば文字やマーク等の表示形状に形成する一方、腕片部の掛止窓の開口形状も同じく文字やマーク等の表示形状に形成することで、各掛止凸部と各掛止窓との嵌合掛止状態が文字やマーク等の表示部として駒体の腕片部の表面に現出されることから、商品としての外観的見栄えを高める装飾性等をより一層高めることができる等の効果が期待できる。
【００３３】
（３）二色成形又はインサート成形の要領で駒体がキャップ又は軸筒の尾端側に同時成形される際に、該尾端側に同時成形される取付部に対して同じく同時成形される駒体の腕片部が密着適合され、且つ取付部の終端の掛止窓又は掛止凹部に対して腕片部の突端の掛止部が密着適合される。それにより、駒体は材料間の整合性による密着が図られた一体化構造に加えてキャップ又は軸筒の尾端側の掛止窓又は掛止凹部に対する掛止部の嵌合掛止構造によりキャップ又は軸筒の尾端側に固着具備される。
【００３４】
（４）二色成形又はインサート成形の要領で駒体がキャップ又は軸筒の尾端側に同時成形される際に、該尾端側に同時成形される開口部に対して同じく同時成形される駒体の腕片部が密着適合され、且つ開口部の開口終端の掛止窓に対して掛止片部の突端の掛止部が密着適合される。それにより、駒体は材料間の整合性による密着が図られた一体化構造に加えてキャップ又は軸筒の尾端側の掛止窓又は掛止凹部に対する掛止部の嵌合掛止構造によりキャップ又は軸筒の尾端側に固着具備される。
【００３５】
従って、本発明の筆記具によれば、キャップ又は軸筒の尾端側に対する駒体の取付構造において、二色成形又はインサート成形の要領で同時成形されることで、材料間の整合性による密着が図られた一体化構造にて、尚且つ互いに嵌合掛止し合う嵌合掛止構造、例えばキャップの尾端側の取付部の掛止凸部に対する駒体の腕片部の掛止窓の嵌合掛止構造により駒体をキャップの尾端側に強靭な取付構造にて固着具備し得ることから、従来の筆記具のように駒体の取付状態にガタが生じて使用者に違和感を与えることもなく、床面等に落下した際の衝撃等により簡単に脱落する虞れもない。
【図面の簡単な説明】
【図１】  本発明筆記具のキャップの一例を示した縦断面図
【図２】  図１のII−II線縦断面図
【図３】  図１の III−III 線横断面図
【図４】  図１のIV−IV線横断面図
【図５】  同キャップ全体を示した斜視図
【図６】  軸筒の後端側に駒体を備えた他の実施例を示し、（イ）は縦断面図（ロ）は（イ）のローロ線横断拡大図
【図７】  本発明筆記具のキャップの一例を示し、クリップ並びに内キャップを同時成形により備え、且つ掛止凸部の突出形状を文字やマーク等の表示形状とする一方で、該掛止凸部に対して嵌合掛止し合う掛止窓の開口形状を同じく文字やマーク等の表示形状として二色成形の要領で同時成形された正面図で、一部を切欠して示す
【図８】  図７のVIII−VIII線縦断面図
【図９】  請求項１乃至請求項３、請求項５に係る本発明筆記具のキャップの一例を示した縦断面図
【図10】  図９のＸ−Ｘ線縦断面図
【図11】  図10のXI−XI線横断面図
【図12】  図10の XII−XII 線横断面図
【図13】  同キャップ全体を示した斜視図
【図14】  本発明筆記具のキャップの他の実施例を示した縦断面図
【図15】  図14のXV−XV線縦断面図
【図16】  図14の XVI−XVI 線横断面図
【図17】  図14のXVII−XVII線横断面図
【図18】  同キャップ全体を示した斜視図
【図19】  本発明筆記具のキャップの他の実施例を示した縦断面図
【図20】  図19のXX−XX線縦断面図
【図21】  図19の XXI−XXI 線横断面図
【図22】  図19のXXII−XXII線横断面図
【図23】  同キャップ全体を示した斜視図
【符号の説明】
１，1-1 ，1-2 …キャップ              ２，2-1 ，2-2 …駒体
３，13…取付部                    ４，15，21…腕片部
５，5-1 …掛止凸部            ６，6-1 ，14，20…掛止窓
７，7-1 ，7-2 …クリップ              ８，8-1 ，8-2 …内キャップ
９…軸筒                      16，18，22…掛止部
17…掛止凹部                          19…開口部
【図１】
0003878296.tif 000002
【図２】
0003878296.tif 000003
【図３】
0003878296.tif 000004
【図４】
0003878296.tif 000005
【図５】
0003878296.tif 000006
【図６】
0003878296.tif 000007
【図７】
0003878296.tif 000008
【図８】
0003878296.tif 000009
【図９】
0003878296.tif 000010
【図１０】
0003878296.tif 000011
【図１１】
0003878296.tif 000012
【図１２】
0003878296.tif 000013
【図１３】
0003878296.tif 000014
【図１４】
0003878296.tif 000015
【図１５】
0003878296.tif 000016
【図１６】
0003878296.tif 000017
【図１７】
0003878296.tif 000018
【図１８】
0003878296.tif 000019
【図１９】
0003878296.tif 000020
【図２０】
0003878296.tif 000021
【図２１】
0003878296.tif 000022
【図２２】
0003878296.tif 000023
【図２３】
0003878296.tif 000024